(57)【要約】【課題】妊婦が常時使用することにより、斜頚の赤ん坊が生まれるのを防止する尻枕を提供する。【構成】前方に向けて下降傾斜した両膝で挟持する前方部分と、正座した場合に臀部を足の踵上端よりも上方に位置させる臀部載置部とを有し、弾力性のある材料から構成される、妊婦が正座両膝で前記前方部分を挟持すると臀部が安定し、骨盤が安定して、背骨が真っ直ぐになるようにして、赤ん坊の首が常時真下に来るようにし、斜頚の赤ん坊を出産するのを防止する。【選択図】  図３
2011135996.tif 000002
【特許請求の範囲】
【請求項１】
前方に向けて下降傾斜した両膝で挟持する前方部分と、正座した場合に臀部を足の踵上端よりも上方に位置させる臀部載置部とを有し、弾力性のある材料から構成される、妊婦が正座して両膝で前記前方部分を挟持すると臀部が安定し、骨盤が安定して、背骨が真っ直ぐになることにより斜頚の赤ん坊を出産するのを防止する尻枕。
【請求項２】
妊婦のお腹が大きくなるにつれて、尻枕の形状若しくは臀部載置部底面の幅と尻枕長さ方向の長さを有する長方形とした厚手の布を、一枚若しくは複数枚前記尻枕の下又は上に敷く請求項１記載の尻枕。
【請求項３】
弾力性のある成形体若しくは充填物を袋状尻枕側地に内装することにより構成し、前記尻枕側地を二重構造とし、内部に乾燥ヨモギを収容した請求項１又は２記載の尻枕。
【請求項４】
前記前方部分の先端に尻枕を適当な位置に移動し易くするリング状若しくは紐状体を連結した請求項１〜３のいずれかに記載の尻枕。
【請求項５】
前記臀部の載置部の側面にポケットを形成した請求項１〜４のいずれかに記載の尻枕。
【請求項６】
シート状物で形成した袋状尻枕側地に充填物を充填し、前方に向けて下降傾斜した両膝で挟持する前方部分と、正座した場合に臀部を足の踵上端よりも上方に位置させる臀部載置部とを有する形状とし、正座した場合に左右に開き難くするため、臀部の載置部の両側部を複数個所、糸状体、紐状体又はテープ状体で連結してなる請求項１〜５のいずれかに記載の尻枕。
【請求項７】
前記臀部載置部の側面を複数のタコ糸で複数個所連結し、該複数のタコ糸は、両側面の孔を穿設した部材の孔に通して固定する請求項６記載の尻枕。
【請求項８】
前記シート状物が布で形成される請求項６又は７記載の尻枕。
【発明の詳細な説明】
【技術分野】
【０００１】
この発明は斜頚の赤ん坊が生まれるのを防止する尻枕に係り、詳記すれば、妊婦が正座すると臀部が安定し、それにより骨盤が安定して、背骨が真っ直ぐになることにより斜頚の赤ん坊が生まれるのを防止する尻枕に関する。
【０００２】
最近、目だった斜頚ではないが、専門家が見れば容易に斜頚とわかる赤ん坊が生まれる割合が多い。赤ん坊の斜頚は、軽い場合は自然に治る場合も多いし、これを治療する方法も知られているが、このような赤ん坊が生まれないようにする効果的方法は知られていない。勿論、これを尻枕で防止する発想は全く知られていない。
【０００３】
本発明者は、赤ん坊の頭が真下（恥骨、陰部の上）に来るようにすれば、斜頚の赤ん坊が生まれるのを防止できることを想定し、このようにするためには、妊婦が座るときに、妊婦の背骨が真っ直ぐになる尻枕を使用すれば良いことを想到した。しかしながら、従来の正座用尻枕は、例えば、単に細長い直方体からなるもの（特許文献１参照）等であって、足の痺れを防止するためのものであったので、これをそのまま使用したのでは、斜頚の赤ん坊が生まれるのを防止する尻枕とはならない。
【０００４】
【特許文献１】特開２００３−２１０２８４号公報
【発明の概要】
【発明が解決しようとする課題】
【０００５】
本発明は、妊婦が常時使用することにより、斜頚の赤ん坊が生まれるのを防止する尻枕を提供することを目的とする。
【課題を解決するための手段】
【０００６】
上記目的を達成するため本発明者は鋭意研究の結果、赤ん坊の頭が真下（恥骨、陰部の上）に来るようにするには、妊婦が座るときに、臀部を安定させて、骨盤を安定させることにより、背骨を真っ直ぐにすれば良いことを想到し、本発明に到達した。
【０００７】
即ち本発明の尻枕は、前方に向けて下降傾斜した両膝で挟持する前方部分と、正座した場合に臀部を足の踵上端よりも上方に位置させる臀部載置部とを有し、弾力性のある材料から構成される、妊婦が正座して両膝で前記前方部分を挟持すると臀部が安定し、骨盤が安定して、背骨が真っ直ぐになることにより斜頚の赤ん坊を出産するのを防止することを特徴とする。
【０００８】
妊婦のお腹が大きくなるにつれて、尻枕の形状若しくは臀部載置部底面の幅と尻枕長さ方向の長さを有する長方形とした厚手の布を、前記尻枕の下又は上に敷くのが好ましい（請求項２）。
【０００９】
弾力性のある成形体若しくは充填物を袋状尻枕側地に内装することにより構成し、前記尻枕側地を二重構造とし、内部に乾燥ヨモギを収容すれば、ヨモギの作用により体が温められることから好ましい（請求項３）。
【００１０】
前記前方部分の先端に尻枕を適当な位置に移動し易くするリング状若しくは紐状体を連結すれば、この部分を握って押したり引いたりすることにより、容易に座る位置を調整できることから好ましい（請求項４）。
【００１１】
前記臀部の載置部の側面にポケットを形成すれば、ここに何かを収容し、持ち運びが出来るので、常時携帯して常に座るときはどこでもこの尻枕を使用するのに便利である（請求項５）。
【００１２】
シート状物で形成した袋状尻枕側地に充填物を充填し、前方に向けて下降傾斜した両膝で挟持する前方部分と、正座した場合に臀部を足の踵上端よりも上方に位置させる臀部載置部とを有する形状とし、正座した場合に左右に開き難くするため、臀部の載置部の両側部を複数個所、糸状体、紐状体又はテープ状体で連結すれば、左右方向に広がり難い尻枕と出来るので好ましい（請求項６）。
【００１３】
前記臀部載置部の側面を複数のタコ糸で複数個所連結し、該複数のタコ糸は、両側面の孔を穿設した部材の孔に通して固定するのが容易に綺麗に形成できるので好ましい（請求項７）。タコ糸連結部が四角形のコーナーとなるようにし、必要に応じて、更に四角形の対角線の交点とか、別の場所を更にタコ糸で連結しても良い。
【００１４】
前記シート状物は布で形成するのが、安価で保温性に優れていることから好ましい（請求項８）。
【発明の効果】
【００１５】
本発明の尻枕を、座るときは常時妊婦が使用することにより、首が非常に綺麗な全く斜頚が認められない赤ん坊が生まれ、赤ん坊の首や背骨が正常に発育する、という絶大な効果を奏する。
【図面の簡単な説明】
【００１６】
【図１】本発明の尻枕の斜視図である。
【図２】本発明の尻枕の斜視図である。
【図３】本発明の尻枕の使用状態を示す側面図である。
【図４】本発明の尻枕の使用状態を示す裏面図である。
【符号の説明】
【００１７】
１・・・・・尻枕
２・・・・・前方部分
３・・・・・臀部載置部
４・・・・・臀部
５・・・・・足の踵
６・・・・・ボタン
７・・・・・リング状体
８・・・・・ポケット
【発明を実施するための形態】
【００１８】
次に本発明の実施の形態を図面に基づいて説明する。
【００１９】
図１は、本発明の尻枕の一実施例を示す斜視図であり、側面の全体的な形状は、コーナーが丸みを帯びた略台形に形成されている。略台形の後端は、略垂直で前端は斜辺に形成されている。
【００２０】
側面が略台形の尻枕１は、側面が略三角形に形成された前方部分２と側面が略四角形に形成された臀部載置部３とが、一体として連設している。これは、別体として一体的に連設しても良いが、別体とする利点は特に無い。
側面が略三角形状に形成された前方部分２は、前方に向けて下降傾斜した両膝で挟持できる幅に形成されている。このような形状に形成することによって、妊婦は両膝を閉じた状態とすることが出来、それにより背骨を真っ直ぐにすることが出来る。人によっては完全に閉じられないが、両膝を近接して平行若しくは先細状態であっても良い。
【００２１】
前方部分１の前後方向の長さは、特に限定されないが、座った場合の両膝の付け根から先端までの長さの１／１０〜１／２程度とするのが好ましい。両膝で挟持して、両膝を閉じれるか、両膝を近接して平行若しくは先細状態とすることができ、背骨が真っ直ぐにし易くなればよい。
【００２２】
側面が略四角形状に形成された臀部載置部３は、正座した場合に臀部４を足の踵（かかと）５上端よりも上方に位置させる高さを有している。このように構成することにより、臀部４を安定して支持することができる。高くする高さは特に限定されないが、足の踵５上端より臀部４の後端を５〜１５ｃｍ程度高くするのが好ましい。
【００２３】
両膝で前方部分２を挟持し、両膝を閉じた状態若しくは近接状態とし、臀部載置部３に臀部４を乗せることにより、妊婦が正座すると臀部４が安定し、それにより骨盤が安定して、背骨を真っ直ぐにすることができる。
【００２４】
臀部載置部３は、臀部４を安定して支持できる大きさであればよい。少なくとも臀部載置部３後端は、臀部４後端程度の長さを持つようにするのが好ましい。
【００２５】
図１に示す尻枕は、シート状物、好ましくは布で形成した袋状尻枕側地に充填物を充填し、前方に向けて下降傾斜した両膝で挟持する前方部分２と、正座した場合に臀部４を足の踵５上端よりも上方に位置させる臀部載置部３とを有する形状とすることにより製造することができる。
【００２６】
充填物としては、そば殻を充填している。しかしながら、軟質プラスチックで形成した細く短いパイプを多数収容しても良い。これ以外でも、通常の枕の充填物に使用しているものはいずれも使用することが出来る。
【００２７】
尻枕の側面には、両側のボタン６を二本のタコ糸で連結し、連結部は、四角形のコーナーとなるように形成されている。このように形成することによって、左右方向への開きを効果的に防止することが出来る。ボタン６でなくとも、タコ糸を通す穴が開いた部材（板体）であっても差し支えないのは勿論である。タコ糸を通す穴は、タコ糸を支障無く折り返すことが出来るなら、１個でも良いが、そうでなければ複数形成するのが良い。
【００２８】
テープ状、紐状のものを使用し、ボタン等を使用しないで、一方の側面からテープを入れて、他方の側面へ出し、これを折り返して、適当な間隔を置いて、テープを入れ、最初の側面へ出して、テープ両端を連結するようにしても良い。但し、複数のタコ糸をボタン等で連結するのが、外観上及び製造上の理由から好ましい。
【００２９】
本発明の尻枕１は、弾力性のある部材で、前方に向けて下降傾斜した両膝で挟持する略三角形の前方部分２と、正座した場合に臀部４を足の踵５上端よりも上方に位置させる臀部載置部３とを有する略四角形の形状とを一体とした形状に形成し、これをそのまま、或いは袋状尻枕側地に内装して尻枕としても良い。
【００３０】
弾力性というのは、座って痛くならない程度の弾力性と、前方部分２が両膝を閉じた状態若しくはそれに近い状態にできる弾力性があればよい。また、臀部載置部３を正座した場合に臀部４を足の踵５上端よりも上方に位置させる高さに維持する程度の横方向に広がらない硬さは必要である。
【００３１】
尻枕成形体が弾力性が無くともこれを内装する袋状尻枕側地に弾力性があればよい。尻枕成形体単独で尻枕とする場合は、勿論弾力性は必要である。このような成形体を使用する場合は、横方向に広がらない硬さとすることが出来るので、広がり防止のためタコ糸等を通す必要は無い。
【００３２】
図２は、本発明の尻枕の使用状態を示すものであるが、臀部４が足の踵５上端よりもかなり上方に位置している。それによって、臀部が安定し、背骨が真っ直ぐになっている。
【００３３】
妊婦のお腹が大きくなるにつれて、尻枕の形状若しくは臀部載置部底面の幅と尻枕長さ方向の長さを有する長方形とした厚手の布を、前記尻枕の下又は上に敷いて高さを上げるようにするのが好ましい。高さは２ｃｍ〜４ｃｍｍ程度上げるのが好ましい。これは、１枚又は複数枚でこの高さにすればよい。
【００３４】
上記のようにして製造した尻枕を、妊婦に座るときは常に使用させたところ、この病院でこのような斜頚のない首の綺麗な赤ん坊が生まれたのは、病院始まって以来と大変驚かれた。この赤ん坊は、生後１週間で寝返りを打てるようになった。通常は４ヶ月位で寝返りを打てるようになるので、これは極めて驚異的である。この理由は、首、背骨が正常に成長していたためであると考えられている。
【００３５】
弾力性のある成形体若しくは充填物を袋状尻枕側地に内装するように構成し、袋状尻枕側地を二重構造とし、二重構造内に乾燥ヨモギを収容すると、ヨモギの作用で身体が暖められるので本発明の尻枕がより効果的となる。
【００３６】
図１に示すように、前方部分の先端に尻枕を適当な位置に移動し易くするリング状体７が連結されている。この部分を握って押したり引いたりすることにより、容易に尻枕の位置を調整できる。リング状体の代わりに紐状体を連結しても差し支えない。
【００３７】
図１に示すように、前記臀部の載置部の側面にポケット８が形成されている。このようにすれば、ここに何かを収容し、持ち運びが出来るので、常時携帯して常に座るときはどこでもこの尻枕を使用するのに便利である。
【産業上の利用可能性】
【００３８】
本発明の尻枕を妊婦が使用することにより、斜頚のない首の綺麗な赤ん坊が生まれるので、広く妊婦が使用することにより、赤ん坊の首や背骨が正常に発育する、何ら障害のない赤ん坊が生まれることが大いに期待される。
【図１】
2011135996.tif 000003
【図２】
2011135996.tif 000004
【図３】
2011135996.tif 000005
【図４】
2011135996.tif 000006